【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
複数の基地局のうちの基地局において、前記複数の基地局のためのリソース割振りパターンを識別すること、ここにおいて、前記リソース割振りパターンは、共有スペクトル中のキャリアの通信時間リソースを、異なるデータサービスセットに関連する複数のリソースセットにグループ化する、と、
前記異なるデータサービスセットのうちの第１のデータサービスセットに関連する第１のリソースセットを識別することと、
少なくとも１つのユーザ機器と、前記第１のリソースセット上で前記第１のデータサービスセットに関連する第１のデータトラフィックを通信することと
を備える、ワイヤレス通信の方法。
【請求項２】
前記通信することは、
前記第１のデータサービスセットに少なくとも部分的に基づいて、リッスンビフォアトーク（ＬＢＴ）パラメータを決定することと、
前記リッスンビフォアトーク（ＬＢＴ）パラメータに少なくとも部分的に基づいて、前記キャリア上でクリアチャネルアセスメント（ＣＣＡ）を実行することと、
成功したＣＣＡが実行されたと決定することに少なくとも部分的に基づいて、前記第１のリソースセット上で前記第１のデータトラフィックを送信することと
を備える、請求項１に記載の方法。
【請求項３】
前記少なくとも１つのユーザ機器に、前記リソース割振りパターンを送信することをさらに備える、
請求項１に記載の方法。
【請求項４】
前記通信時間リソースは、前記複数の基地局について同期される、
請求項１に記載の方法。
【請求項５】
前記異なるデータサービスセットの各々は、
１つまたは複数のサービス品質（ＱｏＳ）識別子、１つまたは複数のサービスタイプ識別子、またはそれらの組合せ
のいずれかに関連する、請求項１に記載の方法。
【請求項６】
前記複数の基地局のための第２のリソース割振りパターンを識別することをさらに備え、前記第２のリソース割振りパターンは、前記共有スペクトル中の第２のキャリアの第２の通信時間リソースを、前記異なるデータサービスセットのうちの１つまたは複数に関連する第２の複数のリソースセットにグループ化し、前記第２の複数のリソースセットは、前記複数のリソースセットとは異なって割り振られる、
請求項１に記載の方法。
【請求項７】
複数の基地局のうちの基地局において、前記複数の基地局のためのリソース割振りパターンを識別するための手段、ここにおいて、前記リソース割振りパターンは、共有スペクトル中のキャリアの通信時間リソースを、異なるデータサービスセットに関連する複数のリソースセットにグループ化する、と、
前記異なるデータサービスセットのうちの第１のデータサービスセットに関連する第１のリソースセットを識別するための手段と、
少なくとも１つのユーザ機器と、前記第１のリソースセット上で前記第１のデータサービスセットに関連する第１のデータトラフィックを通信するための手段と
を備える、ワイヤレス通信のための装置。
【請求項８】
前記通信するための手段は、
前記第１のデータサービスセットに少なくとも部分的に基づいて、リッスンビフォアトーク（ＬＢＴ）パラメータを決定するための手段と、
前記リッスンビフォアトーク（ＬＢＴ）パラメータに少なくとも部分的に基づいて、前記キャリア上でクリアチャネルアセスメント（ＣＣＡ）を実行するための手段と、
成功したＣＣＡが実行されたと決定することに少なくとも部分的に基づいて、前記第１のリソースセット上で前記第１のデータトラフィックを送信するための手段と
を備える、請求項７に記載の装置。
【請求項９】
前記通信時間リソースは、前記複数の基地局について同期される、
請求項７に記載の装置。
【請求項１０】
共有スペクトル中のキャリアのためのリソース割振りパターンを識別するための手段、ここにおいて、前記リソース割振りパターンは、前記キャリアの通信時間リソースを、異なるデータサービスに関連する複数のリソースセットにグループ化する、と、
前記異なるデータサービスのうちの第１のデータサービスに関連する第１のリソースセットを識別するための手段と、
前記キャリアに関連する基地局と、前記第１のリソースセット上で前記第１のデータサービスに関連する第１のデータトラフィックを通信するための手段と
を備える、ワイヤレス通信のための装置。
【請求項１１】
前記第１のデータサービスに少なくとも部分的に基づいて、リッスンビフォアトーク（ＬＢＴ）パラメータを決定するための手段と、
前記リッスンビフォアトーク（ＬＢＴ）パラメータに少なくとも部分的に基づいて、前記キャリア上でクリアチャネルアセスメント（ＣＣＡ）を実行するための手段と、
成功したＣＣＡが実行されたと決定することに少なくとも部分的に基づいて、前記第１のリソースセット上で前記第１のデータトラフィックを送信するための手段と
をさらに備える、請求項１０に記載の装置。
【請求項１２】
共有スペクトル中のキャリアのためのリソース割振りパターンを識別すること、ここにおいて、前記リソース割振りパターンは、前記キャリアの通信時間リソースを、異なるデータサービスに関連する複数のリソースセットにグループ化する、と、
前記異なるデータサービスのうちの第１のデータサービスに関連する第１のリソースセットを識別することと、
前記キャリアに関連する基地局と、前記第１のリソースセット上で前記第１のデータサービスに関連する第１のデータトラフィックを通信することと
を備える、ワイヤレス通信の方法。
【請求項１３】
前記複数のリソースセットのうちの１つまたは複数のリソースセット中にスリープ状態に入ることをさらに備える、
請求項１２に記載の方法。
【請求項１４】
前記複数のリソースセットのうちのそれぞれのリソースセットのための１つまたは複数のチャネル品質インジケータ（ＣＱＩ）測定値を報告することをさらに備え、前記報告されたチャネル品質インジケータ（ＣＱＩ）測定値は、前記それぞれのリソースセットに関連するチャネル状態情報（ＣＳＩ）リソースに少なくとも部分的に基づく、
請求項１２に記載の方法。
【請求項１５】
命令を備えるコンピュータプログラムであって、前記命令は、前記プログラムがコンピュータによって実行されると、前記コンピュータに、請求項１−６、１２−１４のいずれか１項に記載の方法を行わせる、コンピュータプログラム。
【手続補正２】
【補正対象書類名】明細書
【補正対象項目名】０１４９
【補正方法】変更
【補正の内容】
【０１４９】
[0160]本明細書の説明は、当業者が本開示を作成または使用することができるように与えたものである。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されるべきでなく、本明細書で開示される原理および新規の特徴に合致する最も広い範囲を与えられるべきである。
以下に、本願出願の当初の特許請求の範囲に記載された発明を付記する。
［Ｃ１］
複数の基地局のうちの基地局において、前記複数の基地局のためのリソース割振りパターンを識別すること、ここにおいて、前記リソース割振りパターンは、共有スペクトル中のキャリアの通信時間リソースを、異なるデータサービスセットに関連する複数のリソースセットにグループ化する、と、
前記異なるデータサービスセットのうちの第１のデータサービスセットに関連する第１のリソースセットを識別することと、
少なくとも１つのユーザ機器と、前記第１のリソースセット上で前記第１のデータサービスセットに関連する第１のデータトラフィックを通信することと
を備える、ワイヤレス通信の方法。
［Ｃ２］
前記通信することは、
前記第１のデータサービスセットに少なくとも部分的に基づいて、リッスンビフォアトーク（ＬＢＴ）パラメータを決定することと、
前記リッスンビフォアトーク（ＬＢＴ）パラメータに少なくとも部分的に基づいて、前記キャリア上でクリアチャネルアセスメント（ＣＣＡ）を実行することと、
成功したＣＣＡが実行されたと決定することに少なくとも部分的に基づいて、前記第１のリソースセット上で前記第１のデータトラフィックを送信することと
を備える、［Ｃ１］に記載の方法。
［Ｃ３］
前記ＬＢＴパラメータは、
競合ウィンドウサイズ、延期期間、競合ウィンドウ適応スキーム、エネルギー検出しきい値、またはそれらの任意の組合せ
のいずれかを備える、［Ｃ２］に記載の方法。
［Ｃ４］
前記通信することは、前記第１のリソースセット上で前記第１のデータトラフィックを受信することを備える、
［Ｃ１］に記載の方法。
［Ｃ５］
前記リソース割振りパターンを前記識別することは、前記複数の基地局に関連するネットワークデバイスから前記リソース割振りパターンを受信することを備える、
［Ｃ１］に記載の方法。
［Ｃ６］
無線アクセスネットワークに前記リソース割振りパターンをブロードキャストすることをさらに備え、前記無線アクセスネットワークは、前記複数の基地局に関連する、
［Ｃ１］に記載の方法。
［Ｃ７］
前記少なくとも１つのユーザ機器に、前記リソース割振りパターンを送信することをさらに備える、
［Ｃ１］に記載の方法。
［Ｃ８］
前記通信時間リソースは、
フレーム、サブフレーム、シンボル期間、または送信時間間隔（ＴＴＩ）のいずれかである、
［Ｃ１］に記載の方法。
［Ｃ９］
前記複数のリソースセットの各々は、複数の連続通信時間リソースを備える、
［Ｃ１］に記載の方法。
［Ｃ１０］
前記通信時間リソースは、前記複数の基地局について同期される、
［Ｃ１］に記載の方法。
［Ｃ１１］
前記異なるデータサービスセットの各々は、
１つまたは複数のサービス品質（ＱｏＳ）識別子、１つまたは複数のサービスタイプ識別子、またはそれらの組合せ
のいずれかに関連する、［Ｃ１］に記載の方法。
［Ｃ１２］
前記１つまたは複数のサービスタイプ識別子のうちの少なくとも１つは、マシンタイプ通信（ＭＴＣ）サービスに関連する、
［Ｃ１１］に記載の方法。
［Ｃ１３］
前記複数の基地局のための第２のリソース割振りパターンを識別することをさらに備え、前記第２のリソース割振りパターンは、前記共有スペクトル中の第２のキャリアの第２の通信時間リソースを、前記異なるデータサービスセットのうちの１つまたは複数に関連する第２の複数のリソースセットにグループ化し、前記第２の複数のリソースセットは、前記複数のリソースセットとは異なって割り振られる、
［Ｃ１］に記載の方法。
［Ｃ１４］
前記第１のデータサービスセットに基づいて前記第１のデータトラフィックを前記通信することのためのあるタイプのＨＡＲＱプロセスをアクティブにすることをさらに備える、
［Ｃ１］に記載の方法。
［Ｃ１５］
複数の基地局のうちの基地局において、前記複数の基地局のためのリソース割振りパターンを識別するための手段、ここにおいて、前記リソース割振りパターンは、共有スペクトル中のキャリアの通信時間リソースを、異なるデータサービスセットに関連する複数のリソースセットにグループ化する、と、
前記異なるデータサービスセットのうちの第１のデータサービスセットに関連する第１のリソースセットを識別するための手段と、
少なくとも１つのユーザ機器と、前記第１のリソースセット上で前記第１のデータサービスセットに関連する第１のデータトラフィックを通信するための手段と
を備える、ワイヤレス通信のための装置。
［Ｃ１６］
前記通信するための手段は、
前記第１のデータサービスセットに少なくとも部分的に基づいて、リッスンビフォアトーク（ＬＢＴ）パラメータを決定するための手段と、
前記リッスンビフォアトーク（ＬＢＴ）パラメータに少なくとも部分的に基づいて、前記キャリア上でクリアチャネルアセスメント（ＣＣＡ）を実行するための手段と、
成功したＣＣＡが実行されたと決定することに少なくとも部分的に基づいて、前記第１のリソースセット上で前記第１のデータトラフィックを送信するための手段と
を備える、［Ｃ１５］に記載の装置。
［Ｃ１７］
前記リソース割振りパターンを前記識別するための手段は、前記複数の基地局に関連するネットワークデバイスから前記リソース割振りパターンを受信する、
［Ｃ１５］に記載の装置。
［Ｃ１８］
無線アクセスネットワークに前記リソース割振りパターンをブロードキャストするための手段をさらに備え、前記無線アクセスネットワークは、前記複数の基地局に関連する、
［Ｃ１５］に記載の装置。
［Ｃ１９］
前記通信時間リソースは、前記複数の基地局について同期される、
［Ｃ１５］に記載の装置。
［Ｃ２０］
複数の基地局のうちの基地局において、前記複数の基地局のためのリソース割振りパターンを識別するための手段、ここにおいて、前記リソース割振りパターンが、共有スペクトル中のキャリアの通信時間リソースを、異なるデータサービスセットに関連する複数のリソースセットにグループ化する、と、
前記異なるデータサービスセットのうちの第１のデータサービスセットに関連する第１のリソースセットを識別するための手段と、
少なくとも１つのユーザ機器と、前記第１のリソースセット上で前記第１のデータサービスセットに関連する第１のデータトラフィックを通信するための手段と
を備える、ワイヤレス通信のための装置。
［Ｃ２１］
前記第１のデータサービスに少なくとも部分的に基づいて、リッスンビフォアトーク（ＬＢＴ）パラメータを決定するための手段と、
前記リッスンビフォアトーク（ＬＢＴ）パラメータに少なくとも部分的に基づいて、前記キャリア上でクリアチャネルアセスメント（ＣＣＡ）を実行するための手段と、
成功したＣＣＡが実行されたと決定することに少なくとも部分的に基づいて、前記第１のリソースセット上で前記第１のデータトラフィックを送信するための手段と
をさらに備える、［Ｃ２０］に記載の装置。
［Ｃ２２］
前記複数の基地局に関連するネットワークデバイスから前記リソース割振りパターンを受信するための手段をさらに備える、
［Ｃ２０］に記載の装置。
［Ｃ２３］
前記ＬＢＴパラメータが、
競合ウィンドウサイズ、延期期間、競合ウィンドウ適応スキーム、エネルギー検出しきい値、またはそれらの任意の組合せ
のいずれかを備える、［Ｃ２１］に記載の装置。
［Ｃ２４］
前記第１のリソースセット上で前記第１のデータトラフィックを受信することを前記装置に行わせるための手段をさらに備える、
［Ｃ２０］に記載の装置。
［Ｃ２５］
無線アクセスネットワークに前記リソース割振りパターンをブロードキャストするための手段をさらに備え、前記無線アクセスネットワークは、前記複数の基地局に関連する、
［Ｃ２０］に記載の装置。
［Ｃ２６］
共有スペクトル中のキャリアのためのリソース割振りパターンを識別すること、ここにおいて、前記リソース割振りパターンが、前記キャリアの通信時間リソースを、異なるデータサービスに関連する複数のリソースセットにグループ化する、と、
前記異なるデータサービスのうちの第１のデータサービスに関連する第１のリソースセットを識別することと、
前記キャリアに関連する基地局と、前記第１のリソースセット上で前記第１のデータサービスに関連する第１のデータトラフィックを通信することと
を備える、ワイヤレス通信の方法。
［Ｃ２７］
前記通信することは、前記第１のデータトラフィックについて前記第１のリソースセット中に前記キャリアに関連するチャネルをモニタすることを備える、
［Ｃ２６］に記載の方法。
［Ｃ２８］
前記複数のリソースセットのうちの１つまたは複数のリソースセット中にスリープ状態に入ることをさらに備える、
［Ｃ２６］に記載の方法。
［Ｃ２９］
前記複数のリソースセットのうちの少なくとも１つは、ＵＥ開始型送信データサービスに関連する、
［Ｃ２６］に記載の方法。
［Ｃ３０］
前記複数のリソースセットのうちのそれぞれのリソースセットのための１つまたは複数のチャネル品質インジケータ（ＣＱＩ）測定値を報告することをさらに備え、前記報告されたチャネル品質インジケータ（ＣＱＩ）測定値は、前記それぞれのリソースセットに関連するチャネル状態情報（ＣＳＩ）リソースに少なくとも部分的に基づく、
［Ｃ２６］に記載の方法。